(57)【特許請求の範囲】
【請求項１】
ケース内部に固定される電子回路に接続され、外周を結束バンドにより締め付けたケーブルと、
ケースに開設されるケーブル引き出し開口と、
柔軟な材料により形成され、ケーブルに外嵌されるとともにケーブル引き出し開口に嵌入されてケーブルとケーブル引き出し開口との間隙を密閉するシールブッシュとを有し、
前記ケーブルは、ケース内の移動規制壁とケース外壁との間に挿入されてケースに対する移動が規制された前記結束バンドを介して引き抜き、押し込み方向の移動が規制され、
かつ、前記シールブッシュは、結束バンドとケース外壁との間に挿入されるインナーシールフランジによりケース外壁に係止し、引き抜き、押し込み方向の移動が規制されるケーブル引き出し部の構造。
【請求項２】
前記結束バンドは適宜間隔を隔てて適数箇所に装着される請求項１記載のケーブル引き出し部の構造。
【請求項３】
前記結束バンドは前記インナーシールフランジと移動規制壁の間隙部に圧入されてインナーシールフランジのシール面圧を向上させる請求項１または２記載のケーブル引き出し部の構造。
【請求項４】
前記ケーブルは、一方のバンド拘束部が他方のバンド部を拘束するように連結された２本の結束バンドにより締め付けられる請求項１、２または３記載のケーブル引き出し部の構造。
【発明の詳細な説明】
【０００１】
【発明の属する技術分野】
本発明はケーブル引き出し部の構造に関するものである。
【０００２】
【従来の技術】
従来、例えばコントローラ等のケース内に収容された電子回路に接続されるケーブルをケース外に引き出すためには、図３に示すケーブル引き出し装置が使用される。この従来例において、ケーブル引き出し装置は、内壁にゴム７を貼り付けた筒状本体８と、キャップ部材９とを有して構成される。ナット８ａによりケース１に固定される筒状本体８にケーブル３を挿通させた後、キャップ部材９を締め付けると筒状本体８が縮径し、ケーブル３の外周はゴム７により締め付けられ、ケーブル３外周を伝った水滴等のケース１内への侵入が防止される。
【０００３】
【発明が解決しようとする課題】
しかし、上述した従来例には以下の欠点がある。すなわちケーブル３は筒状本体８のゴム７により外周が拘束されているのみであるために、ケーブル３の引き抜き、押し込み方向への力に対する抵抗力が弱い。したがって、ケーブル３に当該力が加えられた場合には、ケース１内の回路基板との接続部に過大な負荷が加わり、接続不良等を惹起する。
【０００４】
本発明は以上の欠点を解消すべくなされたものであって、構造が簡単で、かつ、引き抜き、押し込み力に対して高い抵抗力を有するケーブル引き出し部の構造の提供を目的とする。
【０００５】
【課題を解決するための手段】
本発明によれば上記目的は、
ケース１内部に固定される電子回路に接続され、外周を結束バンド２により締め付けたケーブル３と、
ケース１に開設されるケーブル引き出し開口４と、
柔軟な材料により形成され、ケーブル３に外嵌されるとともにケーブル引き出し開口４に嵌入されてケーブル３とケーブル引き出し開口４との間隙を密閉するシールブッシュ５とを有し、
前記ケーブル３は、ケース１内の移動規制壁６とケース１外壁との間に挿入されてケース１に対する移動が規制された前記結束バンド２を介して引き抜き、押し込み方向の移動が規制され、
かつ、前記シールブッシュ５は、結束バンド２とケース１外壁との間に挿入されるインナーシールフランジ５ａによりケース１外壁に係止し、引き抜き、押し込み方向の移動が規制されるケーブル引き出し部の構造を提供することにより達成される。
【０００６】
本発明において、ケース１のケーブル引き出し開口４を挿通するケーブル３にはシールブッシュ５が外嵌され、ケーブル引き出し開口４とケーブル３との間隙がシールブッシュ５により閉塞されて水滴等のケース１内への流入が防止される。シールブッシュ５はケース１の外壁に係止して引き抜き、あるいは押し込み方向の負荷に対して抵抗し、脱離が防止される。一方、ケーブル３を締結している結束バンド２はケース１内の移動規制壁６に当接してケーブル３の引き抜き、押し込み方向の力に対する抵抗力を与える。
【０００７】
結束バンド２によるケーブル３外周への締め付け力は、上述した従来例における筒状本体８のゴム７による締め付け力に比して強く、容易に結束バンド２の締結位置がずれることがない。この結果、移動規制壁６の強度が十分であるならば、ケーブル３に引き抜き、押し込み方向の力を負荷しても、ケーブル３が移動することがないために、回路基板との接続部への異常負荷の発生が防止できる。また、結束バンド２はナイロン等の樹脂により形成されるために、過度の締め付け力により締め付けても、ケーブル３を破断させるおそれがない上に、結束バンド２は安価で、かつ、ケーブル３への装着作業も容易であるために、製造コストを低下させることができる。
【０００８】
結束バンド２はケーブル３上の適数箇所に装着し、各々の結束バンド２を個別に移動規制壁６により拘束することが可能であり、装着数に応じて引き抜き等に対する抵抗力が比例して向上する。
【０００９】
移動規制壁６は結束バンド２を挟む２カ所に設けることにより、結束バンド２の移動を規制することが可能であるが、ケース１の外壁を引き抜き方向の移動を規制するための移動規制壁６として利用することもできる。この場合、結束バンド２を押し込み方向の移動を規制する移動規制壁６と、シールブッシュ５の外壁への係止部（インナーシールフランジ５ａ）との間隙に圧入するように寸法設定をすれば、結束バンド２の圧入によってインナーシールフランジ５ａがケース１の外壁の内面に強圧されるために、シール面圧が高まり、シール性能を向上させることができる。
【００１０】
結束バンド２によるケーブル３の締結は、１本の結束バンド２を巻き付けることによっても可能であるが、一方のバンド拘束部２ａが他方のバンド部２ｂを拘束するように連結された２個の結束バンド２により締め付けることができる。この場合、結束バンド２は対向して位置する２個の拘束部が移動規制壁６に当接するために、ケーブル３に引き抜き、あるいは押し込み方向の力が負荷されても結束バンド２は傾くことがない。このため、ケーブル３に上記負荷が加えられても結束バンド２に対するこじり方向の力が発生して締結バンドの締結位置がずれることが完全になくなるために、当該負荷に対する抵抗力をより高くすることができる。
【００１１】
【発明の実施の形態】
図１、２に福祉車両のリフト昇降制御用のリモコン装置として構成された本発明の実施の形態を示す。リモコン装置は、下カバー１ａと上カバー１ｂとを連結して形成されるケース１を有し、ケース１内には、上記リフト操作用の制御信号を生成するための回路基板１０が収容される。下カバー１ａと上カバー１ｂとの分割面には、シリコンゴム等、柔軟な材料により形成され、上カバー１ｂの内壁にほぼ沿ったボックス形状をなすシールボックス１１のフランジ部１１ａが介装されて境界部からの水漏れを防止する。このシールボックス１１には操作ボタン１２が一体に形成され、ケース１内に固定された状態で上カバー１ｂに開設したボタン挿通開口１３からケース１外部に露出する。この実施の形態において、操作ボタン１２は電源投入用ボタン１２ａ、リフト操作ボタン１２ｂ、およびリフト復帰操作ボタン１２ｃからなる。シールボックス１１のフランジ部１１ａ、および後述するシールブッシュ５の分割面方向のシール面圧を高めるために、上カバー１ｂと下カバー１ａとはビス１４等を使用して連結される。
【００１２】
３は上記回路基板１０とリフト装置の制御部とを接続するケーブルで、柔軟なチューブ状外皮３ａ内に複数の被覆導電線３ｂを挿通させて形成され、各被覆導電線３ｂの先端に固定されるコネクタ３ｃを回路基板１０側のコネクタ１０ａに連結して電気的に接続される。
【００１３】
上記ケース１からのケーブル３の引き出し部の詳細を図２に示す。まず、ケース１の下カバー１ａと上カバー１ｂには、連結状態において円形のケーブル引き出し開口４を形成する切欠１ｃと、切欠形成面と平行な移動規制壁６が設けられる。移動規制壁６には、切欠形成面から見て切欠１ｃに合致するケーブルガイド切欠６ａが設けられる。これら移動規制壁６、および切欠１ｃ周縁は、シールボックス１１の覆い部１１ｂにより覆われる。
【００１４】
一方、ケーブル３端部にはシールブッシュ５と結束バンド２が装着される。シールブッシュ５はシリコンゴムにより形成された筒状体で、アウターシールフランジ５ｂと、インナーシールフランジ５ａとを有し、ケーブル３に外嵌された後、インナーシールフランジ５ａをケース１の外壁の内面に、アウターシールフランジ５ｂを外壁の外面に当接させた状態でケーブル引き出し開口４に嵌合される。ケーブル３への装着によりシールブッシュ５の内壁はわずかに弾性的に拡径してケーブル３を締め付け、ケーブル３とアウターシールフランジ５ｂとの境界からの水漏れが防がれる。結束バンド２は、ナイロン等の合成樹脂材により形成され、ブロック状のバンド拘束部２ａからバンド部２ｂを延設して構成される。結束バンド２には、例えば、タイトン株式会社製「インシュロック  タイ」を使用することができ、通常、バンド部２ｂをバンド拘束部２ａのバンド挿通孔２ｃに挿通させて使用され、挿通状態においてバンド部２ｂに形成された凹凸がバンド拘束部２ａの端縁に係止してバンド部２ｂの抜け止めがなされる。この実施の形態において、ケーブル３は、１カ所につき２本の結束バンド２、２が使用される。
【００１５】
図２（ｂ）は２本の結束バンド２、２の締結状態を示すもので、一方の結束バンド２のバンド部２ｂを他方のバンド拘束部２ａに挿通させ、さらに、他方の結束バンド２のバンド部２ｂを一方のバンド拘束部２ａに挿通させ、双方のバンド部２ｂを引っ張ってケーブル３外周を強く拘束した後、余分のバンド部２ｂを切断する。このようにして２本の結束バンド２、２でケーブル３外周を締め付けると、バンド拘束部２ａがケーブル３の中心に対してほぼ線対称位置に位置することとなる。
【００１６】
ケーブル３には、上述した２本の結束バンド２、２を連結した結束バンド対１５による締結箇所が２カ所形成され、一方の結束バンド対１５はバンド拘束部２ａがシールブッシュ５のインナーシールフランジ５ａに当接する位置に配置される。また、上記移動規制壁６と外壁の内面との間の間隔は、インナーシールフランジ５ａの厚さ寸法と結束バンド２のバンド拘束部２ａの厚さ寸法の和ｔよりやや小寸とされており、他方の結束バンド対１５は、上記一方の結束バンド対１５から移動規制壁６の厚さ寸法ｔ１にほぼ等しい間隔離れた位置に配置される。
【００１７】
したがってこの実施の形態において、上カバー１ｂにシールボックス１１を装着した後、回路基板１０を固定し、この後、ケーブル３に予め装着されたシールブッシュ５をアウターシールフランジ５ｂとインナーシールフランジ５ａでケース１の外壁を挟み込むようにしてケーブル３をセットする。次いで、一方の結束バンド対１５のバンド拘束部２ａを押し付けて、該バンド拘束部２ａをインナーシールフランジ５ａと移動規制壁６との間隙に押し込み、さらに、他方の拘束バンド対を移動規制壁６の反対面に沿わせる。この後、ケーブル３側のコネクタ３ｃを回路基板１０側のコネクタ１０ａに嵌合させ、次いで、下カバー１ａを連結する。
【００１８】
連結状態において、シールブッシュ５のインナーシールフランジ５ａは一方の結束バンド対１５のバンド拘束部２ａにより背面側を押されるために、ケース１の外壁内面との接触圧、すなわちシール面圧が高くなり、ケーブル引き出し部からの水滴の流入が完全に防止される。また、各結束バンド対１５、１５は、ケーブル３外周を強く締め付けているために、ケーブル３長手方向へのずれは生じることがなく、さらに、一方の結束バンド対１５がケース１外壁に、他方の結束バンド対１５が移動規制壁６に当接するために、ケーブル３に引き抜き方向の力が負荷されても容易にケーブル３が引き抜き方向に移動することはない。
【００１９】
また、ケーブル３に押し込み方向の力が加えられた際には、一方の結束バンド対１５が移動規制壁６に衝接するために、ケーブル３の押し込み方向への移動も規制される。加えて、各結束バンド対１５のバンド拘束部２ａは、ケーブル３の中心に対してほぼ線対称位置に配置され、移動規制壁６に対して所定間隔ｄ隔てた２点で当接する。このため、ケーブル３にこじり方向の力が加わった場合にも、結束バンド対１５の姿勢は変化することなく、ケーブル３の保持姿勢も変化することがなく、コネクタに不用意な負荷が発生することもない。
【００２０】
【発明の効果】
以上の説明から明らかなように、本発明によれば、構造が簡単で、かつ、引き抜き、押し込み力に対して高い抵抗力を有するケーブル引き出し部の構造を得ることができる。
【図面の簡単な説明】
【図１】本発明を示す図で、（ａ）は正面図、（ｂ）は（ａ）の１Ｂ-１Ｂ線断面図である。
【図２】本発明の要部を示す図で、（ａ）は下カバーを取り外した状態で上カバー背面を見た図、（ｂ）は（ａ）の２Ｂ-２Ｂ線断面図である。
【図３】従来例を示す図で、（ａ）は半断面図、（ｂ）は筒状本体の３Ｂ方向矢視図である。
【符号の説明】
１        ケース
２        結束バンド
２ａ      バンド拘束部
２ｂ      バンド部
３        ケーブル
４        ケーブル引き出し開口
５        シールブッシュ
５ａ      インナーシールフランジ
６        移動規制壁
【図１】
0003710327.tif 000002
【図２】
0003710327.tif 000003
【図３】
0003710327.tif 000004